(57)【要約】【課題】実装機本体のカセット装着部に複数の部品供給カセットを幅方向に並列した状態で装着する構造を有する部品実装機において、実装機本体側から複数の部品供給カセットへワイヤレスで電力を伝送するにあたって実装機本体側に設ける送電回路を一つに統合できるようにすること。【解決手段】基板に部品を実装する実装機本体１０を備え、複数の部品供給カセット２０が実装機本体のカセット装着部１１に幅方向に並列した状態で装着される部品実装機において、複数の部品供給カセット２０にそれぞれ受電電極２２を設け、カセット装着部１１にそれぞれの受電電極２２と対向するように幅方向に伸びる送電電極１２を設け、送電電極１２からそれぞれの受電電極２２に電界結合方式により電力を伝送するようにした。【選択図】図１
2015099877.tif 000002
【特許請求の範囲】
【請求項１】
基板に部品を実装する実装機本体を備え、複数の部品供給カセットが前記実装機本体のカセット装着部に幅方向に並列した状態で装着される部品実装機において、
前記複数の部品供給カセットはそれぞれ受電電極を有し、前記カセット装着部は前記それぞれの受電電極と対向するように前記幅方向に伸びる送電電極を有し、
前記送電電極から前記それぞれの受電電極に、電界結合方式により電力を伝送することを特徴とする部品実装機。
【請求項２】
前記複数の部品供給カセットはカートに幅方向に並列配置され、前記カートが前記カセット装着部に装着される請求項１に記載の部品実装機。
【請求項３】
前記受電電極は前記部品供給カセットの底面側に設けられている請求項１又は２に記載の部品実装機。
【請求項４】
前記部品供給カセットがテープフィーダである請求項１〜３のいずれかに記載の部品実装機。
【発明の詳細な説明】
【技術分野】
【０００１】
本発明は基板に部品を実装する部品実装機に関し、特に実装機本体のカセット装着部に複数の部品供給カセットを幅方向に並列した状態で装着する構造を有する部品実装機に関する。
【背景技術】
【０００２】
一般的に部品実装機は、部品保持ヘッドを部品供給部の上方に移動させ、そこで部品保持ヘッドに備えられた保持具としてのノズルに下降・上昇動作を行わせてノズルの下端部に部品を真空吸着してピックアップし、次に部品保持ヘッドを基板の上方へ移動させ、そこで再度ノズルに下降・上昇動作を行わせて部品を基板の所定の座標位置に実装するように構成されている。
【０００３】
このような部品実装機において、前記部品供給部に部品を供給するための機器として部品供給カセットが知られている。部品供給カセットは、実装機本体のカセット装着部に着脱可能に装着され、一般的には生産性向上のため、前記カセット装着部には複数の部品供給カセットが幅方向に並列した状態で装着される。
【０００４】
部品供給カセットとしては、キャリアテープによって部品を保持するようにしたテープフィーダや部品をばらばらにして収納したバルクケースを備えたものが用いられるが、いずれにしても部品供給カセットには駆動用の電力を伝送する必要がある。しかし、部品供給カセットは上述のとおり実装機本体のカセット装着部に着脱可能に装着されるため、電力伝送のために電線を用いた場合、着脱の度毎に電線の接続作業が必要であり、生産性の低下を招いていた。また、部品供給カセットは幅方向に並列した状態で複数装着されるため電線やコネクタの数も多数となり、小型化の障害となっていた。
【０００５】
これに対して特許文献１では、実装機本体側に１次コイルを含む送電回路を設けるとともに部品供給カセット側に２次コイルを含む受電回路を設け、電磁誘導方式により実装機本体から部品供給カセットに電力を伝送するワイヤレス電力伝送機構が提案されている。
【０００６】
しかし、このような電磁誘導方式によるワイヤレス電力伝送機構では、その原理上、送電回路と受電回路とを一対一の関係で設ける必要がある。すなわち、実装機本体には部品供給カセットの装着数分、送電回路を設ける必要があり、特に部品供給カセットの装着数が増えると送電回路の設置スペース上の問題が生じ、コスト上の問題も生じる。
【先行技術文献】
【特許文献】
【０００７】
【特許文献１】特開平９−３０７２８３号公報
【発明の概要】
【発明が解決しようとする課題】
【０００８】
本発明が解決しようとする課題は、実装機本体のカセット装着部に複数の部品供給カセットを幅方向に並列した状態で装着する構造を有する部品実装機において、実装機本体側から複数の部品供給カセットへワイヤレスで電力を伝送するにあたって実装機本体側に設ける送電回路を一つに統合できるようにすることにある。
【課題を解決するための手段】
【０００９】
本発明の一観点によれば、基板に部品を実装する実装機本体を備え、複数の部品供給カセットが前記実装機本体のカセット装着部に幅方向に並列した状態で装着される部品実装機において、前記複数の部品供給カセットはそれぞれ受電電極を有し、前記カセット装着部は前記それぞれの受電電極と対向するように前記幅方向に伸びる送電電極を有し、前記送電電極から前記それぞれの受電電極に、電界結合方式により電力を伝送することを特徴とする部品実装機が提供される。
【発明の効果】
【００１０】
本発明によれば、複数の部品供給カセットにそれぞれ受電電極を設け、実装機本体のカセット装着部にそれぞれの受電電極と対向するように幅方向に伸びる送電電極を設け、送電電極からそれぞれの受電電極に電界結合方式により電力を伝送するので、送電電極を含む送電回路を一つに統合することが可能となる。すなわち、部品供給カセットの装着数が増えても実装機本体側に設ける送電回路は一つで済むので、実装機本体の省スペース化（小型化）及び低コスト化を実現できる。
【図面の簡単な説明】
【００１１】
【図１】本発明に係る部品実装機の一実施例を示す概略斜視図である。
【図２】本発明に係る電界結合方式による電力伝送機構の構成図である。
【図３】図１の実施例の変形例を示す概略縦断面図である。
【発明を実施するための形態】
【００１２】
以下、図面に示す実施例に基づき本発明の実施の形態を説明する。
【００１３】
図１は、本発明に係る部品実装機の一実施例を示す概略斜視図である。同図に示すように、実装機本体１０のカセット装着部１１に、複数の部品供給カセット（テープフィーダ）２０が幅方向（Ｘ方向）に並列した状態で装着されている。なお、図１中の符号１１ａはテープフィーダ２０をカセット装着部１１に装着するときのガイドとなるガイド条であり、これらのガイド条１１ａの間にテープフィーダ２０が装着される。
【００１４】
実装機本体１０は図示を省略しているが、ＸＹ方向に移動自在な部品保持ヘッドを備え、この部品保持ヘッドをテープフィーダ２０の上面前方にある部品供給部２１の上方に移動させ、そこで部品保持ヘッドに備えられた保持具としてのノズルに下降・上昇動作を行わせてノズルの下端部に部品を真空吸着してピックアップする。次に部品保持ヘッドを基板の上方へ移動させ、そこで再度ノズルに下降・上昇動作を行わせて部品を基板の所定の座標位置に実装する。一方、テープフィーダ２０は、部品を保持したテープをピッチ送りすることにより部品を部品供給部２１に供給する。
【００１５】
各テープフィーダ２０の底面にはそれぞれ受電電極２２が設けられ、カセット装着部１１にはそれぞれの受電電極２２と対向するように幅方向に伸びる送電電極１２が設けられている。この送電電極１２からそれぞれの受電電極２２に電界結合方式により電力が伝送される。
【００１６】
図２は、この電界結合方式による電力伝送機構の回路構成図である。同図に示すように、送電電極１２と受電電極２２は、一対多の関係で電界結合するように配置されている。したがって、送電電極１２を含む送電回路１３を一つに統合することが可能となる。そして、この一つの送電回路１３から、各テープフィーダ２０の受電回路２３に電界結合方式により電力が伝送される。
【００１７】
図３は、図１の実施例の変形例を示す概略縦断面図である。図１の実施例では、テープフィーダ２０をカセット装着部１１に直接装着するようにしたが、図３の例では、カート３０を介して装着するようにしている。すなわち、複数のテープフィーダ２０がカート３０に幅方向に並列配置され、このカート３０がカセット装着部１１に装着される。このような構成においても、送電電極１２と受電電極２２が一対多の関係で電界結合し、送電電極１２からそれぞれの受電電極２２に電界結合方式により電力が伝送される。具体的には図３の例においては、カセット装着部１１に送電電極１２が突出して設けられ、カート３０がカセット装着部１１に装着されると、送電電極１２がカート３０に設けた凹部に入り込み、送電電極１２と受電電極２２が一対多の関係で対向し電界結合する。
【００１８】
以上の実施例では、受電電極２２をテープフィーダ２０の底面に設けたが、図３に破線で示すように、テープフィーダ２０の前面に受電電極２２を設け、カセット装着部１１にこれと対向するように送電電極１２を設けることもできる。ただし、テープフィーダ２０の形状を考慮すると、テープフィーダ２０の底面に受電電極２２を設けた方が電極面積を大きくできるので好ましい。
【００１９】
また、図３に示すように、受電電極２２をテープフィーダ２０の底面に設け、これと対向する送電電極１２のＹ方向の長さ（幅方向（Ｘ方向）と直交する方向の長さ）を受電電極２２のＹ方向の長さよりカート３０（テープフィーダ２０）の引き出し方向に長くしておけば、カート３０（テープフィーダ２０）を少し引き出した状態でも送電電極１２と受電電極２２が電界結合するので、テープフィーダ２０のテープ２４の交換作業をカート３０（テープフィーダ２０）を少し引き出した状態で行うことができ、作業性が向上する。
【符号の説明】
【００２０】
１０  実装機本体
１１  カセット装着部
１１ａ  ガイド条
１２  送電電極
１３  送電回路
２０  テープフィーダ（部品供給カセット）
２１  部品供給部
２２  受電電極
２３  受電回路
２４  テープ
３０  カート
【図１】
2015099877.tif 000003
【図２】
2015099877.tif 000004
【図３】
2015099877.tif 000005